(57)【要約】【課題】巻き取るべきテープ状収納部材の長さが変動した場合にも、リールを構成するフランジ部の変形や損傷を生じにくく、かつ、テープ状収納部材の端部をリールから取り出しやすい態様でテープ状収納部材を巻き取ることが可能なテープ状収納部材の巻き取り方法、該方法を用いて製造されるテーピング電子部品連を提供する。【解決手段】リール１３を構成する一対のフランジ部１１ａ，１１ｂの少なくとも一方の、軸心部１２に干渉しない位置に、巻き取りガイド２２ａを挿入するための貫通孔１４を形成し、巻き取りガイド２２ａを貫通孔１４に挿入した状態でリール１３を回転させてテープ状収納部材１０を巻き取ることにより、軸心部１２に直接に同じ長さのテープ状収納部材１０を巻き取った場合に形成される巻き取り構造体２０よりも、外周寸法の大きい巻き取り構造体２０を形成する。【選択図】図６
2014055064.tif 000002
【特許請求の範囲】
【請求項１】
長手方向に沿って複数配設された収納凹部に電子部品を収納したテープ状収納部材を、一対のフランジ部が、所定の間隔をおいて互いに対向するような態様で軸心部により結合された構造を有するリールに巻き取るためのテープ状収納部材の巻き取り方法であって、
前記一対のフランジ部の少なくとも一方の、前記軸心部に干渉しない位置に、巻き取りガイド挿入用の貫通孔を形成し、前記貫通孔に巻き取りガイドを挿入した状態で前記リールを回転させて前記テープ状収納部材を巻き取ることにより、前記軸心部に直接に同じ長さの前記テープ状収納部材を巻き取った場合に形成される巻き取り構造体よりも、外周寸法の大きい巻き取り構造体を形成する工程を備えていること
を特徴とするテープ状収納部材の巻き取り方法。
【請求項２】
前記貫通孔を複数形成し、前記複数の貫通孔に前記巻き取りガイドを挿入した状態で前記テープ状収納部材の巻き取りを行うとともに、
前記複数の貫通孔を、前記巻き取りガイドを挿入して前記テープ状収納部材を巻き取った場合に、前記巻き取りガイドは前記巻き取り構造体の内周に接するが、前記軸心部は前記巻き取り構造体の内周に接しない位置に配設すること
を特徴とする請求項１記載のテープ状収納部材の巻き取り方法。
【請求項３】
前記複数の貫通孔が、所定の前記貫通孔に前記巻き取りガイドを挿入して前記テープ状収納部材の巻き取りを行うことにより、内周寸法が異なる複数種類の前記巻き取り構造体を形成することができるような態様で配設されていることを特徴とする請求項２記載のテープ状収納部材の巻き取り方法。
【請求項４】
前記複数の貫通孔の少なくとも一部を、前記軸心部を回転中心として回転対称となる位置に配設することを特徴とする請求項２または３記載のテープ状収納部材の巻き取り方法。
【請求項５】
前記リールとして、前記一対のフランジ部の互いに対向する面の少なくとも一方に、前記巻き取り構造体を所定の位置に保持する保持部を備えたリールを用いることを特徴とする請求項１〜４のいずれかに記載のテープ状収納部材の巻き取り方法。
【請求項６】
前記保持部が、前記一対のフランジ部の互いに対向する面の少なくとも一方に配設された、突起部、弾性材料、および粘着性材料からなる群より選ばれる少なくとも１つからなるものであることを特徴とする請求項５記載のテープ状収納部材の巻き取り方法。
【請求項７】
前記巻き取りガイドが、巻き取られるべき前記テープ状収納部材の先端部を固定するための固定部を備えていることを特徴とする請求項１〜６のいずれかに記載のテープ状収納部材の巻き取り方法。
【請求項８】
長手方向に沿って複数配設された収納凹部に電子部品を収納したテープ状収納部材が、一対のフランジ部が、所定の間隔をおいて互いに対向するような態様で軸心部により結合された構造を有するリールに巻き取られてなるテーピング電子部品連であって、
前記一対のフランジ部の少なくとも一方の、前記軸心部に干渉しない位置に複数の貫通孔が形成されているとともに、
前記テープ状収納部材を巻き取ることにより形成された巻き取り構造体が、内周を前記軸心部と接することなく、前記一対のフランジ部間に保持されていること
を特徴とするテーピング電子部品連。
【請求項９】
前記一対のフランジ部の互いに対向する面の少なくとも一方に、前記テープ状収納部材を巻き取ることにより形成される巻き取り構造体を所定の位置に保持する保持部を備えており、前記巻き取り構造体が、前記保持部により、内周を前記軸心部と接することなく、前記一対のフランジ部間に保持されていること
を特徴とする請求項８記載のテーピング電子部品連。
【請求項１０】
前記貫通孔が、前記軸心部を回転中心として回転対称となる位置に形成されていることを特徴とする請求項８または９記載のテーピング電子部品連。
【請求項１１】
前記保持部が、前記一対のフランジ部の互いに対向する面の少なくとも一方に配設された、突起部、弾性材料、および粘着性材料からなる群より選ばれる少なくとも１つからなるものであることを特徴とする請求項８〜１０のいずれかに記載のテーピング電子部品連。
【発明の詳細な説明】
【技術分野】
【０００１】
本発明は、電子部品を収納したテープ状収納部材をリールに巻き取るための巻き取り方法およびテープ状収納部材をリールに巻き取ることにより形成されるテーピング電子部品連に関する。
【背景技術】
【０００２】
近年、テープ状収納部材の長手方向に沿って所定の間隔をおいて連続的に形成された収納凹部にチップ型電子部品を収納し、リールに巻き取った構造を有するテーピング電子部品連が広く用いられている（例えば、特許文献１参照）。
【０００３】
なお、このテーピング電子部品連を構成するテープ状収納部材の、上記収納凹部に収納されたチップ型電子部品を実装するにあたっては、通常、テープ状収納部材の端部をリールから取り出し、自動実装機を用いてテープ状収納部材を搬送しながら、個々のチップ型電子部品を収納凹部から順次取り出して回路基板などの実装対象上に実装することが行われる。
【０００４】
ところで、テープ状収納部材を巻き取るリールとしては、例えば、図１３（ａ），（ｂ）に模式的に示すように、一対のフランジ部１０１ａ，１０１ｂを、所定の間隔をおいて互いに対向するように、軸心部１０２により結合してなるリール１００が用いられている。
【０００５】
このようなリール１００にテープ状収納部材を巻き取る場合、１つのテーピング電子部品連に含まれる（収納される）チップ型電子部品の数により、巻き取るべきテープ状収納部材の長さが異なる。そして、テープ状収納部材の長さが異なると、図１４に示すように、テープ状収納部材１１０を巻き取ることにより形成される巻き取り構造体１２０の外径Ｄ１が異なることになる。そして、巻き取り構造体１２０の外径Ｄ１が、リール１００を構成するフランジ部１０１ａ，１０１ｂの外径Ｄ２より大幅に小さくなると、フランジ部１０１ａ，１０１ｂの外周に近い領域が、巻き取り構造体１２０に支持されない状態となり、変形や損傷が生じやすくなり、実装時の自動実装機への装着などに支障を来すおそれがあり、信頼性が低くなるという問題点がある。
【０００６】
また、巻き取り構造体１２０の外径Ｄ１が、フランジ部１０１ａ，１０１ｂの外径Ｄ２より大幅に小さくなると、自動実装機に装着してチップ型電子部品の実装を行う際に、テープ状収納部材１１０の端部をリール１００から取り出すことが困難になるという問題点がある。
【０００７】
上記のような問題点を解決するために、例えば、テープ状収納部材の一端側から所定の位置までは収納凹部にチップ型電子部品を収納せず、それ以降の収納凹部にチップ型電子部品を収納し、上記一端側を先端として、テープ状収納部材をリールに巻き取って、１つのテーピング電子部品連に含まれるべきチップ型電子部品が少ない場合にも、巻き取り構造体の外径Ｄ１が所定の大きさとなるようにすることも行われているが、その場合には、テープ状収納部材に無駄が生じたり、無用のテーピング電子部品連の重量増加やそれによる搬送時のコスト増加を招いたりするという問題点がある。
【先行技術文献】
【特許文献】
【０００８】
【特許文献１】特開２００８−２５４７８５号公報
【発明の概要】
【発明が解決しようとする課題】
【０００９】
本発明は、上記実情に鑑みてなされたものであり、電子部品を収納したテープ状収納部材をリールに巻き取るにあたって、巻き取るべきテープ状収納部材の長さが変動した場合にも、リールを構成するフランジ部の変形や損傷が生じにくく、かつ、テープ状収納部材の端部をリールから取り出しやすい位置にくるようにテープ状収納部材を巻き取ることが可能なテープ状収納部材の巻き取り方法および該方法を用いて製造される、信頼性が高く、取り扱い性に優れたテーピング電子部品連を提供することを目的とする。
【課題を解決するための手段】
【００１０】
上記課題を解決するために、本発明のテープ状収納部材の巻き取り方法は、
長手方向に沿って複数配設された収納凹部に電子部品を収納したテープ状収納部材を、一対のフランジ部が、所定の間隔をおいて互いに対向するような態様で軸心部により結合された構造を有するリールに巻き取るためのテープ状収納部材の巻き取り方法であって、
前記一対のフランジ部の少なくとも一方の、前記軸心部に干渉しない位置に、巻き取りガイド挿入用の貫通孔を形成し、前記貫通孔に巻き取りガイドを挿入した状態で前記リールを回転させて前記テープ状収納部材を巻き取ることにより、前記軸心部に直接に同じ長さの前記テープ状収納部材を巻き取った場合に形成される巻き取り構造体よりも、外周寸法の大きい巻き取り構造体を形成する工程を備えていること
を特徴としている。
【００１１】
また、本発明のテープ状収納部材の巻き取り方法においては、
前記貫通孔を複数形成し、前記複数の貫通孔に前記巻き取りガイドを挿入した状態で前記テープ状収納部材の巻き取りを行うとともに、
前記複数の貫通孔を、前記巻き取りガイドを挿入して前記テープ状収納部材を巻き取った場合に、前記巻き取りガイドは前記巻き取り構造体の内周に接するが、前記軸心部は前記巻き取り構造体の内周に接しない位置に配設すること
が好ましい。
【００１２】
上述のように構成することにより、巻き取り構造体が、リールの軸心部から離れた位置に保持されることになるため、より確実に、リールを構成するフランジ部の変形や損傷を生じにくい態様で、テープ状収納部材を巻き取ることが可能になる。
【００１３】
また、前記複数の貫通孔が、所定の前記貫通孔に前記巻き取りガイドを挿入して前記テープ状収納部材の巻き取りを行うことにより、内周寸法が異なる複数種類の前記巻き取り構造体を形成することができるような態様で配設されていることが好ましい。
【００１４】
上記構成を備えることにより、１つのリールで、長さの異なるテープ状収納部材を巻き取って、外径が所定の大きさの巻き取り構造体を形成することが可能になる。
【００１５】
また、本発明のテープ状収納部材の巻き取り方法においては、前記複数の貫通孔の少なくとも一部を、前記軸心部を回転中心として回転対称となる位置に配設することが好ましい。
【００１６】
貫通孔を、軸心部を回転中心として回転対称となる位置に配設することにより、さらに確実に、リールを構成するフランジ部の変形や損傷を生じにくい態様で、テープ状収納部材を巻き取ることが可能になる。
【００１７】
また、前記リールとして、前記一対のフランジ部の互いに対向する面の少なくとも一方に、前記巻き取り構造体を所定の位置に保持する保持部を備えたリールを用いることが好ましい。
【００１８】
巻き取り構造体を所定の位置に保持する保持部を備えたリールを用いることにより、巻き取り構造体を確実に所定の位置に保持して、信頼性を向上させることができる。
【００１９】
また、前記保持部が、前記一対のフランジ部の互いに対向する面の少なくとも一方に配設された、突起部、弾性材料、および粘着性材料からなる群より選ばれる少なくとも１つからなるものであることが好ましい。
【００２０】
突起部、弾性材料、および粘着性材料からなる群より選ばれる少なくとも１つを保持部として備えたリールを用いることにより、さらに確実に巻き取り構造体の位置ずれを抑制、防止することが可能になり、本発明をさらに実効あらしめることができる。
【００２１】
また、前記巻き取りガイドが、巻き取られるべき前記テープ状収納部材の先端部を固定するための固定部を備えていることが好ましい。
【００２２】
固定部を備えた構成とすることにより、別途締結治具や接着部材などを用意したりすることなく、テープ状収納部材の先端部を巻き取りガイドに容易に固定して、テープ状収納部材の巻き取りを効率よく実施することができる。
【００２３】
また、本発明のテーピング電子部品連は、
長手方向に沿って複数配設された収納凹部に電子部品を収納したテープ状収納部材が、一対のフランジ部が、所定の間隔をおいて互いに対向するような態様で軸心部により結合された構造を有するリールに巻き取られてなるテーピング電子部品連であって、
前記一対のフランジ部の少なくとも一方の、前記軸心部に干渉しない位置に複数の貫通孔が形成されているとともに、
前記テープ状収納部材を巻き取ることにより形成された巻き取り構造体が、内周を前記軸心部と接することなく、前記一対のフランジ部間に保持されていること
を特徴としている。
【００２４】
また、本発明のテーピング電子部品連においては、前記一対のフランジ部の互いに対向する面の少なくとも一方に、前記テープ状収納部材を巻き取ることにより形成される巻き取り構造体を所定の位置に保持する保持部を備えており、前記巻き取り構造体が、前記保持部により、内周を前記軸心部と接することなく、前記一対のフランジ部間に保持されていることが好ましい。
【００２５】
上記構成とすることにより、巻き取り構造体が、内周を軸心部と接することなく、リールを構成するフランジ部間に確実に保持された信頼性の高いテーピング電子部品連を得ることが可能になり、本発明をより実効あらしめることができる。
【００２６】
また、本発明のテーピング電子部品連においては、前記貫通孔が、前記軸心部を回転中心として回転対称となる位置に形成されていることが好ましい。
【００２７】
貫通孔が、前記軸心部を回転中心として回転対称となる位置に形成されている場合、上述の本発明のテープ状収納部材の巻き取り方法を適用して効率よく製造することが可能なテーピング電子部品連を得ることができる。
【００２８】
また、前記保持部が、前記一対のフランジ部の互いに対向する面の少なくとも一方に配設された、突起部、弾性材料、および粘着性材料からなる群より選ばれる少なくとも１つからなるものであることが好ましい。
【００２９】
突起部、弾性材料、および粘着性材料からなる群より選ばれる少なくとも１つを保持部として備えたリールを用いた場合、より確実に巻き取り構造体の位置ずれを抑制、防止することが可能になり、さらに信頼性の高いテーピング電子部品連を提供することが可能になる。
【発明の効果】
【００３０】
本発明のテープ状収納部材の巻き取り方法は、上述のように、一対のフランジ部の少なくとも一方の、軸心部に干渉しない位置に、巻き取りガイド挿入用の貫通孔を形成し、貫通孔に巻き取りガイドを挿入した状態でリールを回転させてテープ状収納部材を巻き取るようにしているので、軸心部に直接に同じ長さのテープ状収納部材を巻き取った場合に形成される巻き取り構造体よりも、外周寸法の大きい巻き取り構造体を形成することが可能になる。
【００３１】
そのため、テープ状収納部材の長さが短くて、軸心部に直接にテープ状収納部材を巻き取ると、巻き取り構造体の外周寸法が小さくなり、リールを構成するフランジ部の外周に近い領域が巻き取り構造体により支持されずに変形や損傷が生じ易くなるという問題がある場合にも、外周寸法の大きい巻き取り構造体を形成して、リールを構成するフランジ部の外周に近い領域に変形や損傷が生じることを抑制、防止することが可能になる。
【００３２】
また、巻き取り構造体の外周に位置するテープ状収納部材の端部を、軸心部に直接にテープ状収納部材を巻き取った場合よりも、リールの外周に近付けることが可能になり、リールに巻き取られた状態にある巻き取り構造体から、テープ状収納部材の端部を取り出しやすくなる。その結果、取り扱い性に優れたテーピング電子部品連を得ることが可能になる。
【００３３】
また、本発明のテーピング電子部品連は、一対のフランジ部の少なくとも一方の、軸心部に干渉しない位置に複数の貫通孔が形成され、テープ状収納部材を巻き取ることにより形成された巻き取り構造体が、内周を軸心部と接しないような態様で一対のフランジ部間に保持された構造を有しているので、テープ状収納部材の長さが短い場合にも、巻き取り構造体の外周寸法を、軸心部に直接にテープ状収納部材が巻き取られている場合に比べて大きくすることが可能になり、リールを構成するフランジ部の外周に近い領域に変形や損傷が生じにくい、信頼性の高いテーピング電子部品連を提供することができる。
【００３４】
また、巻き取り構造体の外周に位置するテープ状収納部材の端部を、軸心部に直接にテープ状収納部材を巻き取った場合よりも、リールの外周に近付けることが可能になり、リールに巻き取られた状態にある巻き取り構造体から、テープ状収納部材の端部を取り出すことが容易で、取り扱い性に優れたテーピング電子部品連を提供することができる。
【図面の簡単な説明】
【００３５】
【図１Ａ】本発明の一実施形態（実施形態）にかかるテーピング電子部品連を示す正面図である。
【図１Ｂ】本発明の一実施形態（実施形態）にかかるテーピング電子部品連を示す側面図である。
【図２】（ａ）は本発明の一実施形態（実施形態）にかかるテーピング電子部品連に用いられているリールの構成を示す正面図、（ｂ）は側面図である。
【図３】（ａ）は本発明の実施形態において、テーピング電子部品連を製造するのに用いた巻き取り治具を示す側面図、（ｂ）は正面図である。
【図４】本発明の実施形態において、テーピング電子部品連を製造するのに用いた巻き取り治具を構成する巻き取りガイドに形成した固定部（挿入孔）の構成を示す図である。
【図５】本発明のテーピング電子部品連の製造方法（テープ状収納部材の巻き取り方法）を説明する図であって、テープ状収納部材を巻き取る前の状態を示す図ある。
【図６】本発明のテーピング電子部品連の製造方法（テープ状収納部材の巻き取り方法）を説明する図であって、テープ状収納部材を巻き取った後の状態を示す図ある。
【図７】本発明のテーピング電子部品連の製造方法（テープ状収納部材の巻き取り方法）を説明する図であって、より短いテープ状収納部材を巻き取る場合の巻き取り前の状態を示す図ある。
【図８】本発明のテーピング電子部品連の製造方法（テープ状収納部材の巻き取り方法）を説明する図であって、より短いテープ状収納部材を巻き取った後の状態を示す図ある。
【図９】本発明のテーピング電子部品連の製造方法（テープ状収納部材の巻き取り方法）を説明する図であって、より長いテープ状収納部材を巻き取る場合の巻き取り前の状態を示す図ある。
【図１０】本発明のテーピング電子部品連の製造方法（テープ状収納部材の巻き取り方法）を説明する図であって、より長いテープ状収納部材を巻き取った後の状態を示す図ある。
【図１１】テープ状収納部材の巻き取りに用いられるリールにおける、貫通孔の形状および配設態様の変形例を示す図である。
【図１２】テープ状収納部材の巻き取りに用いられるリールにおける、保持部の構成の変形例を示す図である。
【図１３】テープ状収納部材を巻き取るのに用いられる従来のリールの構成を示す図であり、（ａ）は正面図、（ｂ）は側面図である。
【図１４】従来のリールを用いてテープ状収納部材を巻き取る場合の問題点を説明する図である。
【発明を実施するための形態】
【００３６】
以下に本発明の実施形態を示して、本発明の特徴とするところをさらに詳しく説明する。
【００３７】
図１Ａは本発明の一実施形態にかかるテーピング電子部品連を示す正面図であり、図１Ｂは側面図である。
また、図２（ａ）はテーピング電子部品連を構成するリールを示す正面図、図２（ｂ）は側面図である。
【００３８】
このテーピング電子部品連１は、図１Ａ、図１Ｂ、図２（ａ），（ｂ）に示すように、一対のフランジ部１１ａ，１１ｂを、所定の間隔をおいて互いに対向するような態様で軸心部１２により結合した構造を有するリール１３に、長手方向に沿って複数配設された収納凹部にチップ型電子部品を収納したテープ状収納部材１０を巻き取ることにより形成されている。
【００３９】
このテーピング電子部品連１において用いられているリール１３を構成する一対のフランジ部１１ａ，１１ｂには、軸心部１２に干渉しない位置に貫通孔１４が形成されている。
なお、貫通孔１４は、図２（ａ）に示すように、フランジ部１１ａ，１１ｂの周方向に所定の間隔をおいて形成されているとともに、径方向にも所定の間隔をおいて形成されている。なお、貫通孔１４は、一対のフランジ部１１ａ，１１ｂの、互いに対向（正対）する位置に配設されている。
また、各貫通孔１４は、軸心部１２を回転中心として、６０゜の間隔をおいて回転対称となる位置に配設されている。
【００４０】
また、一対のフランジ部１１ａ，１１ｂの互いに対向する面（対向面）には、テープ状収納部材１０が巻き取られることにより形成される巻き取り構造体２０を所定の位置に保持するための弾性材料からなる保持部１５を備えている。この実施形態では、保持部１５はフランジ部１１ａ，１１ｂの対向面に、軸心部１２から外周近傍にまで達する、弾性材料からなる４つの帯状部材（帯状保持部）１５ａを、周方向に９０°の間隔をおいて配設する（貼り付ける）ことにより形成されている。
【００４１】
なお、保持部１５は、上述のような弾性材料から形成する場合に限らず、粘着性を有する材料を用いて形成したり、フランジ部１１ａ，１１ｂの対向面に、突起部（例えば帯状の突起部）を形成して保持部としたりすることも可能である。
【００４２】
そして、テープ状収納部材１０を巻き取ることにより形成された巻き取り構造体２０が、内周を軸心部１２と接しないような態様で、保持部１５により一対のフランジ部１１ａ，１１ｂ間に保持されている。
【００４３】
次に、上述のような構造を有するテーピング電子部品連１を製造する方法（テープ状収納部材１０を巻き取る方法）について説明する。
【００４４】
上述のテーピング電子部品連１を製造するにあたっては、まず、一対のフランジ部１１ａ，１１ｂが、所定の間隔をおいて互いに対向するような態様で軸心部１２により結合された構造を有するとともに、一対のフランジ部１１ａ，１１ｂに、周方向に所定の間隔をおいて形成されているとともに、径方向にも所定の間隔をおいて形成された、複数の貫通孔１４が設けられたリール１３を用意する。なお、各貫通孔１４は、軸心部１２を回転中心として、６０゜の間隔をおいて回転対称となる位置に配設されていることは上述の通りである。
【００４５】
また、テーピング装置を構成する巻き取り治具として、図３（ａ），（ｂ）に示すような巻き取り治具２２を用意する。この巻き取り治具２２は、巻き取り治具本体２２ｂと、巻き取り治具本体２２ｂの所定の位置に配設された、上述のリール１３を構成するフランジ部１１ａ，１１ｂに形成された貫通孔１４のうちの所定の貫通孔１４（１４ａ）に挿入される丸棒状の複数の巻き取りガイド２２ａとを備えている。なお、この実施例では、６本の巻き取りガイド２２ａが、同一円周上の回転対称となる位置に、６０゜の間隔をおいて配設されている。
そして、巻き取りガイド２２ａには、図４に示すように、巻き取るべきテープ状収納部材１０の先端部を挿入して固定するための固定部として機能する挿入孔２２ｃが形成されている。
【００４６】
そして、図５に示すように、巻き取り治具２２の複数の巻き取りガイド２２ａを、リール１３のフランジ部１１ａ，１１ｂに形成された貫通孔１４のうちの、所定の同一円周上に位置する複数（この実施形態では６個）の貫通孔１４（１４ａ）に挿入する。このとき、巻き取り治具本体２２ｂの主面がリール１３を構成するフランジ部１１ｂの主面（外側面）に当接するまで、巻き取り治具２２をリール１３に向かって押し込む。
なお、この実施形態では、一対のフランジ部１１ａ，１１ｂの、互いに対向する位置に形成された貫通孔１４（１４ａ）の両方を貫通するように、巻き取りガイド２２ａが挿入される。
【００４７】
次に、テープ状収納部材１０の先端部を、所定の巻き取りガイド２２ａの挿入孔（固定部）２２ｃに挿入して固定した後、巻き取り治具２２を回転させることによりリール１３を回転させ、図６に示すように、テープ状収納部材１０を、貫通孔１４（１４ａ）に挿入された、複数（６本）の巻き取りガイド２２ａの外側を周回するように巻き取る。
【００４８】
それから、所定の長さだけテープ状収納部材１０が巻き取られた時点で、巻き取りを停止し、必要に応じて、テープ状収納部材１０をカットし、切断端部を巻き取り構造体２０の外周に取り出し可能に固定する。
【００４９】
その後、巻き取りガイド２２の巻き取りガイド２２ａを、リール１３の貫通孔１４（１４ａ）から抜き取る。
これにより、図１Ａ、図１Ｂに示すような構造を有するテーピング電子部品連１が得られる。
【００５０】
そして、このテーピング電子部品連の製造方法の場合、以下に説明するように、テープ状収納部材１０の長さがさらに短い場合（１つのテーピング電子部品連に少ない電子部品を収容したい場合）や、テープ状収納部材１０の長さがさらに長い場合（１つのテーピング電子部品連に多くの電子部品を収容したい場合）に、容易かつ確実に対応することができる。
【００５１】
例えば、上記実施形態の場合よりもテープ状収納部材１０の長さが短い場合（１つのテーピング電子部品連により少ない電子部品を収容したい場合）には、巻き取りガイド２２ａが上記実施形態の巻き取りガイド２２よりも外側に形成された巻き取り治具２２を用い、図７に示すように、フランジ部１１ａ，１１ｂの一番外側の円周上に位置する６つの貫通孔１４（１４ｂ）に巻き取りガイド２２ａを挿入し、リール１３を回転させてテープ状収納部材１０を巻き取ることにより、図８に示すように、短いテープ状収納部材１０を巻き取って、内周が上記実施形態の場合よりも大きく、外周位置が上記実施形態の場合とほぼ同じ位置にある巻き取り構造体２０を形成することができる。
【００５２】
また、例えば、上記実施形態の場合よりもテープ状収納部材１０の長さが長い場合（１つのテーピング電子部品連に多く電子部品を収容したい場合）には、巻き取りガイド２２ａが上記実施形態の巻き取りガイド２２ａよりも内側に形成された巻き取り治具２２を用い、図９に示すように、フランジ部１１ａ，１１ｂの一番内側の円周上に位置する６つの貫通孔１４（１４ｃ）に巻き取りガイド２２ａを挿入し、リール１３を回転させてテープ状収納部材１０を巻き取ることにより、図１０に示すように、長いテープ状収納部材１０を巻き取って、内周が上記実施形態の場合よりも小さく、外周位置が上記実施形態の場合とほぼ同じ位置にある巻き取り構造体２０を形成することができる。
【００５３】
なお、巻き取りガイド２２を用いずに、テープ状収納部材１０を直接軸心部１２に巻き取ることにより、さらに長いテープ状収納部材１０をリール１３に巻き取ることができる。
【００５４】
上述のように、この実施形態のテーピング電子部品連の製造方法によれば、テープ状収納部材１０の長さが長い場合や短い場合のいずれの場合にも、巻き取り構造体２０の外周寸法をほぼ同じとすることが可能になる。すなわち、上述のような巻き取り治具２２を用い、テープ状収納部材１０の長さに応じて、巻き取りガイド２２ａを所定の貫通孔１４に挿入して巻き取ることにより、テープ状収納部材１０の長さ、リール１３を構成するフランジ部１１ａ，１１ｂの外周に近い領域が、巻き取り構造体２０により支持され、フランジ部１１ａ，１１ｂに変形や損傷が生じにくい、信頼性の高いテーピング電子部品連１を得ることができる。
【００５５】
また、巻き取り構造体２０の外周位置を、軸心部１２に直接にテープ状収納部材１０を巻き取った場合よりも、リール１３の外周に近付けることが可能になるため、リール１３に巻き取られた状態にある巻き取り構造体２０から、その外周に位置するテープ状収納部材１０の端部を取り出しやすくなり、取り扱い性に優れたテーピング電子部品連を提供することができる。
【００５６】
なお、この実施形態では、貫通孔１４を、フランジ部１１ａ，１１ｂの周方向に所定の間隔をおいて複数形成するとともに、径方向にも所定の間隔をおいて複数形成し、巻き取りガイド２２ａを、フランジ部１１ａ，１１ｂに形成された貫通孔１４のうち、所定の円周上に位置する貫通孔１４に挿入して、テープ状収納部材１０の巻き取りを行うことにより、形成される巻き取り構造体２０の内周の径を可変として、巻き取られるべきテープ状収納部材１０の長さにかかわらず、外周位置がほぼ同じ位置にある巻き取り構造体２０を形成することができるようにしているが、例えば、図１１に示すように、フランジ部１１ａ，１１ｂの径方向が長手方向となる長穴状の貫通孔１４を周方向に所定の間隔をおいて形成し、巻き取りガイド２２ａをこの長穴状の貫通孔１４に挿入して、貫通孔１４の長手方向における位置を所定の位置に保持しつつ、テープ状収納部材１０の巻き取りを行うことによっても、巻き取り構造体２０の内周の径を可変として、巻き取るべきテープ状収納部材１０の長さにかかわらず、外周位置がほぼ同じ位置にある巻き取り構造体２０を形成することができる。
【００５７】
なお、貫通孔１４の形状は、さらに他の形状とすることも可能であり、扁平度の高い楕円形や、細長い長方形や台形など、種々の形状とすることが可能である。そして、その場合も、同様の効果を得ることができる。
【００５８】
また、上記実施形態では、リール１３を構成する一対のフランジ部１１ａ，１１ｂの両方に、貫通孔１４を形成するようにしているが、リール１３を構成するフランジ部１１ａ，１１ｂの強度が十分にある場合には、一対のフランジ部１１ａ，１１ｂのいずれか一方にのみ貫通孔１４を形成するようにしてもよい。
【００５９】
また、上記実施形態では、フランジ部１１ａ，１１ｂの互いに対向する両面に、弾性材料からなる４つの帯状部材（帯状保持部）１５ａを、周方向に９０°の間隔をおいて配設する（貼り付ける）ことにより保持部１５を形成しているが、保持部１５の形状はこれに限られるものではなく、図１２に示すように、フランジ部１１ａ，１１ｂの互いに対向する両面に、２つの帯状部材（例えば、弾性材料からなる帯状部材）１５ａを、周方向に１８０°の間隔をおいて配設することにより形成してもよい。また、特に図示しないが、フランジ部の互いに対向する面の全面に弾性材料や粘着性材料からなる保持部を配設するようにしてもよい。
【００６０】
また、保持部１５は、フランジ部１１ａ，１１ｂの互いに対向する両面のうちの一方にのみ設けるようにしてもよい。
【００６１】
また、上記実施形態では、巻き取り治具２２を構成する巻き取りガイド２２ａに、テープ状収納部材１０の先端部を挿入して固定するための固定部として挿入孔２２ｃを形成しているが、固定部の構成としては、例えば、
（ａ）巻き取りガイドに突出させたり格納したりすることが可能なピン（突起）を設け、テープ状収納部材の先端部を固定する際には、ピンを巻き取りガイドから突出させて、テープ状収納部材の先端部に突き刺して固定し、テープ状収納部材を巻き取った後に、ピンを格納して、巻き取りガイドをリールを構成するフランジ部の貫通孔から引き抜くことができるようにした構成。
（ｂ）巻き取りガイドにテープ状収納部材の先端部を挟み込んで固定する挟み込み固定部を設けるようにした構成、
（ｃ）巻き取りガイドに粘着性材料を配設してテープ状収納部材の先端部を粘着固定できるようにした構成、
（ｄ）巻き取りガイドに真空吸引孔を設けてテープ状収納部材の先端部を吸引固定できるようにした構成
など種々の構成とすることが可能である。
【００６２】
本発明はさらにその他の点においても上記実施形態に限定されるものではなく、テープ状収納部材の具体的な構成、テープ状収納部材に収納される電子部品の種類、リールの具体的な構成（貫通孔の配設位置や配設個数など）、巻き取り構造体の具体的な形状、巻き取り治具の具体的な構成などに関し、発明の範囲内において、種々の応用、変形を加えることが可能である。
【符号の説明】
【００６３】
１                  テーピング電子部品連
１０                テープ状収納部材
１１ａ，１１ｂ      フランジ部
１２                軸心部  
１３                リール
１４（１４ａ，１４ｂ，１４ｃ）    貫通孔
１５                保持部
１５ａ              帯状部材（帯状保持部）
２０                巻き取り構造体
２２                巻き取り治具
２２ａ              巻き取りガイド
２２ｂ              巻き取り治具本体
２２ｃ              テープ状収納部材を固定するための固定部（挿入孔）
【図１Ａ】
2014055064.tif 000003
【図１Ｂ】
2014055064.tif 000004
【図２】
2014055064.tif 000005
【図３】
2014055064.tif 000006
【図４】
2014055064.tif 000007
【図５】
2014055064.tif 000008
【図６】
2014055064.tif 000009
【図７】
2014055064.tif 000010
【図８】
2014055064.tif 000011
【図９】
2014055064.tif 000012
【図１０】
2014055064.tif 000013
【図１１】
2014055064.tif 000014
【図１２】
2014055064.tif 000015
【図１３】
2014055064.tif 000016
【図１４】
2014055064.tif 000017